(57)【要約】【課題】ブレーカーをコンパクトに構成することができ、しかも、電流をコスト的に有利にかつ容易に検知することができる電力計測システムを提供する。【解決手段】複数のブレーカー１，１と電力計測器２とをシステムの構成要素として含み、各ブレーカー１の側に、配線３の周囲の周方向の一部を囲むブレーカー側分割ＣＴ４が組み込まれ、電力計測器２の側に、各ブレーカー１，１に着脱可能に接続できるプラグ６が前記ブレーカー１の数よりも少ない数で備えられると共に、該プラグ６に計測器側分割ＣＴ９が組み込まれ、該プラグ６をブレーカー１側に接続することによって前記ブレーカー側分割ＣＴ４と計測器側分割ＣＴ９とが接続されて電流検知用のＣＴ１１が形成されるようになされている。【選択図】      図１
2009103538.tif 000002
【特許請求の範囲】
【請求項１】
複数のブレーカーと電力計測器とをシステムの構成要素として含み、
各ブレーカーの側に、配線の周囲の周方向の一部を囲むブレーカー側分割ＣＴが組み込まれ、
電力計測器の側に、各ブレーカーに着脱可能に接続できるプラグが前記ブレーカーの数よりも少ない数で備えられると共に、該プラグに計測器側分割ＣＴが組み込まれ、該プラグをブレーカー側に接続することによって前記ブレーカー側分割ＣＴと計測器側分割ＣＴとが接続されて電流検知用のＣＴが形成されるようになされていることを特徴とする電力計測システム。
【請求項２】
前記ブレーカーと前記端子とにそれぞれ電圧検知用の端子が備えられ、プラグをブレーカー側に接続することによって前記電圧検知用の端子同士が接続されて電圧が検知されるようになされている請求項１に記載の電力計測システム。
【発明の詳細な説明】
【技術分野】
【０００１】
本発明は、電力計測システムに関する。
【背景技術】
【０００２】
電力の計測は、電流検知するために配線の回りにＣＴを取り付けると共に、電圧検知のために配線にクリップなどを当て、得られた電流値と電圧値とから電力を求めるというようにして行われている。そして、電流検知のため、ＣＴがブレーカーに配線の周囲の周方向の全部を囲む態様で予め組み込まれたものも提供されている。
【特許文献１】特開２００６−９２９１３号公報
【発明の開示】
【発明が解決しようとする課題】
【０００３】
しかしながら、ブレーカーが複数ある場合に、各ブレーカーにＣＴを組み込んだので、コストが高くつくと共に、ＣＴによって各ブレーカーが大型化してしまうという問題がある。
【０００４】
本発明は、上記のような問題点に鑑み、ブレーカーをコンパクトに構成することができ、しかも、電流をコスト的に有利にかつ容易に検知することができる電力計測システムを提供することを課題とする。
【課題を解決するための手段】
【０００５】
上記の課題は、複数のブレーカーと電力計測器とをシステムの構成要素として含み、
各ブレーカーの側に、配線の周囲の周方向の一部を囲むブレーカー側分割ＣＴが組み込まれ、
電力計測器の側に、各ブレーカーに着脱可能に接続できるプラグが前記ブレーカーの数よりも少ない数で備えられると共に、該プラグに計測器側分割ＣＴが組み込まれ、該プラグをブレーカー側に接続することによって前記ブレーカー側分割ＣＴと計測器側分割ＣＴとが接続されて電流検知用のＣＴが形成されるようになされていることを特徴とする電力計測システムによって解決される（第１発明）。
【０００６】
このシステムでは、複数の各ブレーカーに、配線の周囲の周方向の一部を囲むブレーカー側分割ＣＴが組み込まれた構造であるので、各ブレーカーをコンパクトに構成することができる。
【０００７】
しかも、ブレーカー側の分割ＣＴと接続されてＣＴを形成する計測器側の分割ＣＴは、ブレーカーの数よりも少ない数のプラグに備えられて、ブレーカー側分割ＣＴの数よりも少なく、そのため、システムのコストを低く抑えて電流をコスト的に有利に検知することができる。
【０００８】
加えて、電力計測器の側のプラグは、各ブレーカーに着脱可能に接続できるようになされて、接続によりＣＴが形成されるようになされているので、電流の検知、ひいては、電力の計測を容易にすることができる。
【０００９】
第１発明において、前記ブレーカーと前記プラグとに電圧検知用の端子が備えられ、プラグをブレーカー側に接続することによって前記電圧検知用の端子同士が接続されて電圧が検知されるようになされているとよい（第２発明）。
【００１０】
この場合は、ブレーカー側にプラグを接続すると、電圧検知用の端子同士も接続されているので、電流の検知と共に電圧の検知についても容易にすることができ、ひいては、電力の計測を容易にすることができる。
【発明の効果】
【００１１】
本発明は、以上のとおりのものであるから、ブレーカーをコンパクトに構成することができ、しかも、電流をコスト的に有利にかつ容易に検知することができる。
【発明を実施するための最良の形態】
【００１２】
次に、本発明の実施最良形態を図面に基づいて説明する。
【００１３】
図１に示す実施形態の電力計測システムにおいて、１はブレーカー、２は電力計測器である。
【００１４】
ブレーカー１は、図１（イ）に示すように、複数備えられ、各ブレーカー１には、図１（ロ）（ハ）に示すように、該ブレーカー１内に通されている配線３の周囲の周方向の一部である半周を囲むブレーカー側分割ＣＴ４が組み込まれると共に、ブレーカー１の正面側のスイッチ１ａの下側のくぼみ部内の正面に面する面部を接続部１ｂとし、そこに、ブレーカー側分割ＣＴ４の周方向の両端部と、電圧検知用の端子５，５とが配置されている。
【００１５】
電力計測器２は、プラグ６と電力計測器本体７とを配線８でつないだもので、一つ備えられている。プラグ６は、前記ブレーカー１の接続部１ｂに対し、図示しない例えば爪と受けとの係合機構あるいは雄雌差込み機構などによって、着脱可能に接続できるようになされていて、計測器側分割ＣＴ９が組み込まれると共に、ブレーカー１側への接続部６ａには、計測器側分割ＣＴ９の周方向の両端部と、電圧検知用の端子１０，１０とが配置され、図１（ニ）（ホ）に示すように、プラグ６をブレーカー１に接続することにより、前記ブレーカー側分割ＣＴ４と計測器側分割ＣＴ９とが接続されて電流検知用のＣＴ１１が形成されると共に、電圧検知用の端子５，１０同士が接続されるようになされている。
【００１６】
電力計測器本体７は、プラグ６側から送られてくる検知電流値と検知電圧値とに基づいて電力を求める機能を備えたもので、求められた電力を表示する表示部や、記憶する記憶部などが備えられているのもよい。
【００１７】
上記の電力計測システムでは、電力の計測を行おうとする配線のブレーカー１にプラグ６を接続すれば、ブレーカー側分割ＣＴ４と計測器側分割ＣＴ９とが接続されて電流検知用のＣＴ１１が形成されると共に、電圧検知用の端子５，１０同士が接続されて、電流と電圧が検知され、計測器本体７で電力が求められる。また、他の配線についての電力の計測を行う場合は、上記のプラグ６を、その配線のブレーカー１の接続部１ｂに接続すれば、同様に、その配線における電力が計測される。
【００１８】
このように、上記の電力計測システムによれば、複数の各ブレーカー１，１に、配線３の周囲の周方向の半周を囲むブレーカー側分割ＣＴ４が組み込まれた構造であるので、各ブレーカー１，１をコンパクトに構成することができる。
【００１９】
しかも、ブレーカー１側の分割ＣＴ４と接続されてＣＴ１１を形成する計測器２側の分割ＣＴ９は、ブレーカー１，１の数よりも少ない一つのプラグ６に備えられていて、数が少なく、そのため、システムのコストを低く抑えて電流をコスト的に有利に検知することができる。
【００２０】
加えて、電力計測器２の側のプラグ６は、各ブレーカー１，１に着脱可能に接続できるようになされて、接続によりＣＴ１１が形成されるようになされており、また、同時に電圧検知用の端子５，１０同士も接続されるので、電流と電圧の検知、ひいては、電力の計測を容易に行うことができる。
【００２１】
以上に、本発明の実施形態を示したが、本発明はこれに限られるものではなく、発明思想を逸脱しない範囲で各種の変更が可能である。例えば、上記の実施形態では、電力計測器２として、プラグ６と電力計測器本体７とを配線８でつないだ構造のものを採用しているが、プラグと電力計測器本体とが一体化された電力計測器に構成されていてもよい。
【図面の簡単な説明】
【００２２】
【図１】実施形態の電力計測システムを示すもので、図（イ）はブレーカーの配線状態を示す回路図、図（ロ）はブレーカーとプラグを示す斜視図、図（ハ）はブレーカーと電力計測器を示す側面図、図（ニ）及び図（ホ）はブレーカーに対するプラグの脱着の前後を示す平面図である。
【符号の説明】
【００２３】
１…ブレーカー
１ｂ…接続部
２…電力計測器
３…配線
４…ブレーカー側分割ＣＴ
５…電圧検知用端子
６…プラグ
６ａ…接続部
９…計測器側分割ＣＴ
１０…電圧検知用端子
１１…電流検知用のＣＴ
【図１】
2009103538.tif 000003